(57)【要約】  データ交換方法、ベースバンド処理ユニット、無線リモートユニット及びリレーユニットであって、下り方向において、電気インタフェースを介してリレーユニット又は無線リモートユニットに接続されるベースバンド処理ユニットは、送信すべき下りの原始メッセージの外層に外層メディアアクセス制御（ＭＡＣ）ヘッダを付け加えて下りの送信メッセージを得、得られた下りの送信メッセージを前記リレーユニット又は無線リモートユニットに送信し、上り方向において、電気インタフェースを介して上のレベルのリレーユニット又はベースバンド処理ユニットに接続されるリレーユニットは、送信すべき上りの原始メッセージの外層に外層ＭＡＣヘッダを付け加えて上りの送信メッセージを得、得られた上りの送信メッセージを前記上のレベルのリレーユニット又はベースバンド処理ユニットに送信する。
2017532875.tif 000002
【特許請求の範囲】
【請求項１】
下り方向において、電気インタフェースを介してリレーユニット又は無線リモートユニットに接続されるベースバンド処理ユニットは、送信すべき下りの原始メッセージの外層に外層メディアアクセス制御（ＭＡＣ）ヘッダを付け加えて下りの送信メッセージを得、得られた下りの送信メッセージを前記リレーユニット又は無線リモートユニットに送信し、或いは、電気インタフェースを介して下のレベルのリレーユニット又は無線リモートユニットに接続されるリレーユニットは、送信すべき下りの原始メッセージの外層に外層メディアアクセス制御（ＭＡＣ）ヘッダを付け加えて下りの送信メッセージを得、得られた下りの送信メッセージを前記下のレベルのリレーユニット又は無線リモートユニットに送信することと、
上り方向において、電気インタフェースを介して上のレベルのリレーユニット又はベースバンド処理ユニットに接続されるリレーユニットは、送信すべき上りの原始メッセージの外層に外層ＭＡＣヘッダを付け加えて上りの送信メッセージを得、得られた上りの送信メッセージを前記上のレベルのリレーユニット又はベースバンド処理ユニットに送信し、或いは、電気インタフェースを介してリレーユニット又はベースバンド処理ユニットに接続される無線リモートユニットは、送信すべき上りの原始メッセージの外層に外層ＭＡＣヘッダを付け加えて上りの送信メッセージを得、得られた上りの送信メッセージを前記リレーユニット又はベースバンド処理ユニットに送信することと、を含み、
前記外層ＭＡＣヘッダは、少なくとも宛先ＭＡＣアドレスと送信元ＭＡＣアドレスを含む、データ交換方法。
【請求項２】
前記外層ＭＡＣヘッダは、ＭＡＣタイプをさらに含む、請求項１に記載のデータ交換方法。
【請求項３】
前記上りの原始メッセージは上りのサービスデータメッセージ及び／又は上りのプライベートメッセージを含み、前記下りの原始メッセージは下りのサービスデータメッセージ及び／又は下りのプライベートメッセージを含む、請求項１に記載のデータ交換方法。
【請求項４】
リレーユニットにとって、送信元ＭＡＣアドレスはその電気インタフェースのＭＡＣアドレスであり、宛先ＭＡＣアドレスは、その電気インタフェースに接続される上のレベル又は下のレベルのリレーユニット、ベースバンド処理ユニット又は無線リモートユニットの電気インタフェースのＭＡＣアドレスであり、無線リモートユニットにとって、送信元ＭＡＣアドレスはその電気インタフェースのＭＡＣアドレスであり、宛先ＭＡＣアドレスは、その電気インタフェースに接続されるリレーユニットの電気インタフェースのＭＡＣアドレスであり、
ベースバンド処理ユニットにとって、送信元ＭＡＣアドレスはその電気インタフェースのＭＡＣアドレスであり、宛先ＭＡＣアドレスは、その電気インタフェースに接続されるリレーユニット又は無線リモートユニットの電気インタフェースのＭＡＣアドレスである、請求項１乃至３のうち何れか一項に記載のデータ交換方法。
【請求項５】
下り方向において、リレーユニット又は無線リモートユニットは、前記下りの送信メッセージを受信した後、解析して下りの原始メッセージが得られ、下のレベルのリレーユニット又は無線リモートユニットに送信する必要があり、且つ下のレベルのリレーユニット又は無線リモートユニットとは電気インタフェースを介して接続する場合、得られた下りの原始メッセージの外層に新しい外層ＭＡＣヘッダを再び付け加えてから、下のレベルのリレーユニット又は無線リモートユニットに送信することと、
上り方向において、リレーユニットは、交換用上りの送信メッセージを受信した後、解析して上りの原始メッセージが得られ、上のレベルのリレーユニット又はベースバンド処理ユニットに送信する必要があり、且つ上のレベルのリレーユニット又はベースバンド処理ユニットとは電気インタフェースを介して接続する場合、得られた上りの原始メッセージの外層に新しい外層ＭＡＣヘッダを再び付け加えてから、上のレベルのリレーユニット又はベースバンド処理ユニットに送信することと、をさらに含む、請求項１乃至３のうち何れか一項に記載のデータ交換方法。
【請求項６】
リレーユニット又は無線リモートユニットは、前記下りの送信メッセージを受け取った後、下のレベルのリレーユニット又は無線リモートユニットに送信する必要があり、且つ下のレベルのリレーユニット又は無線リモートユニットとは光インタフェースを介して接続する場合、前記下りの原始メッセージをそのまま下のレベルのリレーユニット又は無線リモートユニットに送信することと、
上り方向において、リレーユニットは、交換用上りの送信メッセージを受け取った後、上のレベルのリレーユニット又はベースバンド処理ユニットに送信する必要があり、且つ上のレベルのリレーユニット又はベースバンド処理ユニットとは光インタフェースを介して接続する場合、前記上りの原始メッセージをそのまま上のレベルのリレーユニット又はベースバンド処理ユニットに送信することと、をさらに含む、請求項５に記載のデータ交換方法。
【請求項７】
リレーユニット又は無線リモートユニットに電気インタフェースを介して接続されるように構成される第１のインタフェースモジュールと、
下り方向において、送信すべき下りの原始メッセージの外層に、少なくとも宛先ＭＡＣアドレスと送信元ＭＡＣアドレスを含む外層ＭＡＣヘッダを付け加えて下りの送信メッセージを得、得られた下りの送信メッセージをリレーユニット又は無線リモートユニットに送信するように構成される第１のインタフェース処理モジュールと、
を備えるベースバンド処理ユニット。
【請求項８】
ベースバンド処理ユニットにとって、送信元ＭＡＣアドレスはその電気インタフェースのＭＡＣアドレスであり、宛先ＭＡＣアドレスは、その電気インタフェースに接続されるリレーユニット又は無線リモートユニットの電気インタフェースのＭＡＣアドレスである、請求項７に記載のベースバンド処理ユニット。
【請求項９】
下のレベルのリレーユニット又は無線リモートユニットに電気インタフェースを介して接続され、そして、上のレベルのリレーユニット又はベースバンド処理ユニットに電気インタフェースを介して接続されるように構成される第２のインタフェースモジュールと、
下り方向において、送信すべき下りの原始メッセージの外層に、少なくとも宛先ＭＡＣアドレスと送信元ＭＡＣアドレスを含む外層ＭＡＣヘッダを付け加えて下りの送信メッセージを得、得られた下りの送信メッセージを前記下のレベルのリレーユニット又は無線リモートユニットに送信し、そして、上り方向において、送信すべき上りの原始メッセージの外層に外層ＭＡＣヘッダを付け加えて上りの送信メッセージを得、得られた上りの送信メッセージを上のレベルのリレーユニット又はベースバンド処理ユニットに送信するように構成される第２のインタフェース処理モジュールと、
を備えるリレーユニット。
【請求項１０】
リレーユニットにとって、送信元ＭＡＣアドレスはその電気インタフェースのＭＡＣアドレスであり、宛先ＭＡＣアドレスは、その電気インタフェースに接続されるリレーユニット、ベースバンド処理ユニット又は無線リモートユニットの電気インタフェースのＭＡＣアドレスである、請求項９に記載のリレーユニット。
【請求項１１】
リレーユニット又はベースバンド処理ユニットに電気インタフェースを介して接続されるように構成される第３のインタフェースモジュールと、
上り方向において、送信すべき上りの原始メッセージの外層に、少なくとも宛先ＭＡＣアドレスと送信元ＭＡＣアドレスを含む外層ＭＡＣヘッダを付け加えて上りの送信メッセージを得、得られた上りの送信メッセージをリレーユニット又はベースバンド処理ユニットに送信するように構成される第３のインタフェース処理モジュールと、
を備える無線リモートユニット。
【請求項１２】
無線リモートユニットにとって、送信元ＭＡＣアドレスはその電気インタフェースのＭＡＣアドレスであり、宛先ＭＡＣアドレスは、その電気インタフェースに接続されるリレーユニットの電気インタフェースのＭＡＣアドレスである、請求項１１に記載の無線リモートユニット。
【請求項１３】
実行される場合、請求項１乃至６のうち何れか一項に記載の方法を実現可能なプログラムコマンドが記憶される、コンピュータ読取り可能な記憶媒体。
【発明の詳細な説明】
【技術分野】
【０００１】
本発明は通信分野に関し、具体的には、データ交換方法、ベースバンド処理ユニット、無線リモートユニット及びリレーユニットに関する。
【背景技術】
【０００２】
従来の分散型基地局システムは、図１に示すように、ベースバンド処理ユニット（ＢＢＵ：Building Base band Unite）＋無線リモートユニット（ＲＲＵ：Radio Remote Unit）を用いる。ＢＢＵがベースバンド処理を担い、ＲＲＵが上り・下り無線信号処理、ＵＥとのインタラクション機能を担い、ＢＢＵとＲＲＵとは光ファイバを介して接続される。ＲＲＵが屋内カバレッジに用いられる場合、このようなネットワーキング方式は、高コストの光ファイバによって事業者のＣＡＰＥＸが相対的に高くなるとともに、屋内に配置される光ファイバが少なくなる欠点と、ＢＢＵの処理能力が無駄になり、現在、ＢＢＵは１つの電気インタフェースによって通常９．８３０４Ｇｂｐｓのデータ容量を提供でき、屋内カバレッジのＲＲＵ容量ニーズが限られており、また、屋内カバレッジは、カスケードされる場面が少ないため、ＢＢＵリソースの無駄遣いを招く欠点が明らかである。すると、図２に示すように、屋内カバレッジに用いるベースバンド処理ユニット（ＢＢＵ：Building Base band Unite）＋リレーユニット（Ｒ−Ｈｕｂ）＋無線リモートユニット（ＲＲＵ：Radio Remote Unit）というアーキテクチャーが提案された。Ｒ−Ｈｕｂが下りにてベースバンドデータのルーティング及び転送を完成し、上りにてＲＲＵデータの再組み立て及びアップロードを完成する。Ｒ−Ｈｕｂが複数のＲＲＵに接続されてもよく、また、Ｒ−Ｈｕｂが他のＲ−Ｈｕｂにカスケードされてもよく、これにより、ネットワーキングのカバレッジ及びＢＢＵリソースの充分な利用を確保する。Ｒ−ＨｕｂとＢＢＵとは、ＣＡＴ５／５Ｅ／６撚り対線を介して接続され、これにより、室内カバレッジの柔軟性を向上させ、コストパフォーマンスをより高くすることができる。また、元のＢＢＵ＋ＲＲＵアーキテクチャーに適応するように構成されてもよく、この場合、ＢＢＵとＲ−Ｈｕｂとが光ファイバを介して接続され、これにより、ＲＲＵは、光ファイバを介してＢＢＵとのネットワーキングを従来どおりに行うように選択することができ、また、ＣＡＴ５／５Ｅ／６撚り対線を介してＲ−Ｈｕｂを追加し、ＢＢＵ＋Ｒ−Ｈｕｂ＋ＲＲＵネットワーキングを構成することもできる。ＢＢＵ＋Ｒ−Ｈｕｂ＋ＲＲＵネットワーキングにおいて、遠距離カバーを図るために、既存の公衆網を用いてユーザデータを伝送することが必要とされる場合がある。公衆網において事業者のユーザデータの安全性及び隔離性をどのように確保するか、ユーザデータを用いて公衆網をすり抜けるときにどのようにして「透明」な伝送を図るか、解決すべき主な問題となる。
【発明の概要】
【発明が解決しようとする課題】
【０００３】
本発明の実施例は、データを公衆網で伝送する際の安全性及び隔離性をどのように確保するかとの問題を解決するデータ交換方法、ベースバンド処理ユニット、無線リモートユニット及びリレーユニットを提供する。
【課題を解決するための手段】
【０００４】
本発明の実施例によれば、
下り方向において、電気インタフェースを介してリレーユニット又は無線リモートユニットに接続されるベースバンド処理ユニットは、送信すべき下りの原始メッセージの外層に外層メディアアクセス制御（ＭＡＣ）ヘッダを付け加えて下りの送信メッセージを得、得られた下りの送信メッセージを前記リレーユニット又は無線リモートユニットに送信し、或いは、電気インタフェースを介して下のレベルのリレーユニット又は無線リモートユニットに接続されるリレーユニットは、送信すべき下りの原始メッセージの外層に外層メディアアクセス制御（ＭＡＣ）ヘッダを付け加えて下りの送信メッセージを得、得られた下りの送信メッセージを前記下のレベルのリレーユニット又は無線リモートユニットに送信することと、
上り方向において、電気インタフェースを介して上のレベルのリレーユニット又はベースバンド処理ユニットに接続されるリレーユニットは、送信すべき上りの原始メッセージの外層に外層ＭＡＣヘッダを付け加えて上りの送信メッセージを得、得られた上りの送信メッセージを前記上のレベルのリレーユニット又はベースバンド処理ユニットに送信し、或いは、電気インタフェースを介してリレーユニット又はベースバンド処理ユニットに接続される無線リモートユニットは、送信すべき上りの原始メッセージの外層に外層ＭＡＣヘッダを付け加えて上りの送信メッセージを得、得られた上りの送信メッセージを前記リレーユニット又はベースバンド処理ユニットに送信することと、を含み、
前記外層ＭＡＣヘッダは、少なくとも宛先ＭＡＣアドレスと送信元ＭＡＣアドレスを含む、データ交換方法が提供される。
【０００５】
本発明の一実施例において、前記外層ＭＡＣヘッダは、ＭＡＣタイプをさらに含む。
【０００６】
本発明の一実施例において、前記上りの原始メッセージは上りのサービスデータメッセージ及び／又は上りのプライベートメッセージを含み、前記下りの原始メッセージは下りのサービスデータメッセージ及び／又は下りのプライベートメッセージを含む。
【０００７】
本発明の一実施例において、リレーユニットにとって、送信元ＭＡＣアドレスはその電気インタフェースのＭＡＣアドレスであり、宛先ＭＡＣアドレスは、その電気インタフェースに接続される上のレベル又は下のレベルのリレーユニット、ベースバンド処理ユニット又は無線リモートユニットの電気インタフェースのＭＡＣアドレスであり、無線リモートユニットにとって、送信元ＭＡＣアドレスはその電気インタフェースのＭＡＣアドレスであり、宛先ＭＡＣアドレスは、その電気インタフェースに接続されるリレーユニットの電気インタフェースのＭＡＣアドレスであり、
ベースバンド処理ユニットにとって、送信元ＭＡＣアドレスはその電気インタフェースのＭＡＣアドレスであり、宛先ＭＡＣアドレスは、その電気インタフェースに接続されるリレーユニット又は無線リモートユニットの電気インタフェースのＭＡＣアドレスである。
【０００８】
本発明の一実施例において、下り方向において、リレーユニット又は無線リモートユニットは、前記下りの送信メッセージを受信した後、解析して下りの原始メッセージが得られ、下のレベルのリレーユニット又は無線リモートユニットに送信する必要があり、且つ下のレベルのリレーユニット又は無線リモートユニットとは電気インタフェースを介して接続する場合、得られた下りの原始メッセージの外層に新しい外層ＭＡＣヘッダを再び付け加えてから、下のレベルのリレーユニット又は無線リモートユニットに送信し、
上り方向において、リレーユニットは、交換用上りの送信メッセージを受信した後、解析して上りの原始メッセージが得られ、上のレベルのリレーユニット又はベースバンド処理ユニットに送信する必要があり、且つ上のレベルのリレーユニット又はベースバンド処理ユニットとは電気インタフェースを介して接続する場合、得られた上りの原始メッセージの外層に新しい外層ＭＡＣヘッダを再び付け加えてから、上のレベルのリレーユニット又はベースバンド処理ユニットに送信する。
【０００９】
本発明の一実施例において、リレーユニット又は無線リモートユニットは、前記下りの送信メッセージを受け取った後、下のレベルのリレーユニット又は無線リモートユニットに送信する必要があり、且つ下のレベルのリレーユニット又は無線リモートユニットとは光インタフェースを介して接続する場合、前記下りの原始メッセージをそのまま下のレベルのリレーユニット又は無線リモートユニットに送信し、
上り方向において、リレーユニットは、交換用上りの送信メッセージを受け取った後、上のレベルのリレーユニット又はベースバンド処理ユニットに送信する必要があり、且つ上のレベルのリレーユニット又はベースバンド処理ユニットとは光インタフェースを介して接続する場合、前記上りの原始メッセージをそのまま上のレベルのリレーユニット又はベースバンド処理ユニットに送信する。
【００１０】
上記課題を解決するために、本発明の実施例によれば、
リレーユニット又は無線リモートユニットに電気インタフェースを介して接続されるように構成される第１のインタフェースモジュールと、
下り方向において、送信すべき下りの原始メッセージの外層に、少なくとも宛先ＭＡＣアドレスと送信元ＭＡＣアドレスを含む外層ＭＡＣヘッダを付け加えて下りの送信メッセージを得、得られた下りの送信メッセージをリレーユニット又は無線リモートユニットに送信するように構成される第１のインタフェース処理モジュールと、
を備えるベースバンド処理ユニットがさらに提供される。
【００１１】
本発明の一実施例において、ベースバンド処理ユニットにとって、送信元ＭＡＣアドレスはその電気インタフェースのＭＡＣアドレスであり、宛先ＭＡＣアドレスは、その電気インタフェースに接続されるリレーユニット又は無線リモートユニットの電気インタフェースのＭＡＣアドレスである。
【００１２】
上記課題を解決するために、本発明の実施例によれば、
下のレベルのリレーユニット又は無線リモートユニットに電気インタフェースを介して接続され、そして、上のレベルのリレーユニット又はベースバンド処理ユニットに電気インタフェースを介して接続されるように構成される第２のインタフェースモジュールと、
下り方向において、送信すべき下りの原始メッセージの外層に、少なくとも宛先ＭＡＣアドレスと送信元ＭＡＣアドレスを含む外層ＭＡＣヘッダを付け加えて下りの送信メッセージを得、得られた下りの送信メッセージを前記下のレベルのリレーユニット又は無線リモートユニットに送信し、そして、上り方向において、送信すべき上りの原始メッセージの外層に外層ＭＡＣヘッダを付け加えて上りの送信メッセージを得、得られた上りの送信メッセージを上のレベルのリレーユニット又はベースバンド処理ユニットに送信するように構成される第２のインタフェース処理モジュールと、
を備えるリレーユニットがさらに提供される。
【００１３】
本発明の一実施例において、リレーユニットにとって、送信元ＭＡＣアドレスはその電気インタフェースのＭＡＣアドレスであり、宛先ＭＡＣアドレスは、その電気インタフェースに接続されるリレーユニット、ベースバンド処理ユニット又は無線リモートユニットの電気インタフェースのＭＡＣアドレスである。
【００１４】
上記課題を解決するために、本発明の実施例によれば、
リレーユニット又はベースバンド処理ユニットに電気インタフェースを介して接続されるように構成される第３のインタフェースモジュールと、
上り方向において、送信すべき上りの原始メッセージの外層に、少なくとも宛先ＭＡＣアドレスと送信元ＭＡＣアドレスを含む外層ＭＡＣヘッダを付け加えて上りの送信メッセージを得、得られた上りの送信メッセージをリレーユニット又はベースバンド処理ユニットに送信するように構成される第３のインタフェース処理モジュールと、
を備える無線リモートユニットがさらに提供される。
【００１５】
本発明の一実施例において、無線リモートユニットにとって、送信元ＭＡＣアドレスはその電気インタフェースのＭＡＣアドレスであり、宛先ＭＡＣアドレスは、その電気インタフェースに接続されるリレーユニットの電気インタフェースのＭＡＣアドレスである。
【００１６】
本発明の実施例によれば、実行される場合、上述した方法を実現可能なプログラムコマンドが記憶される、コンピュータ読取り可能な記憶媒体がさらに提供される。
【発明の効果】
【００１７】
本発明の実施例に提供されるソリューションによると、公衆網をすり抜けるようにネットワーキングする場合、関連データメッセージの伝送は、外層ＭＡＣヘッダを別に付け加えることで透明な伝送を実現することができ、これにより、データが公衆網をすり抜けるときの安全性及び隔離性を確保し、即ち、公衆網はデータ伝送中に、ただデータの伝送トンネルとして機能しさえすればよい。
【図面の簡単な説明】
【００１８】
【図１】ＢＢＵ＋ＲＲＵネットワーキング構造を示す図である。
【図２】ＢＢＵ＋Ｒ−Ｈｕｂ＋ＲＲＵネットワーキング構造を示す図である。
【図３】本発明の実施例によるＢＢＵの構造を示す図である。
【図４】本発明の実施例によるＲ−Ｈｕｂの構造を示す図である。
【図５】本発明の実施例によるＲＲＵの構造を示す図である。
【図６】本発明の実施例３に提供されるタイプ１のネットワーキング構造を示す図である。
【図７】本発明の実施例３に提供されるタイプ２のネットワーキング構造を示す図である。
【図８】本発明の実施例３に提供されるタイプ３のネットワーキング構造を示す図である。
【図９】本発明の実施例３に提供されるタイプ４のネットワーキング構造を示す図である。
【図１０】本発明の実施例３に提供されるタイプ５のネットワーキング構造を示す図である。
【図１１】本発明の実施例３に提供されるタイプ６のネットワーキング構造を示す図である。
【図１２】本発明の実施例３に提供される外層ＭＡＣヘッダがカプセル化されたメッセージの構造を示す図である。
【発明を実施するための形態】
【００１９】
以下、図面を結合しながら本発明の具体的な実施例を詳しく説明する。
【００２０】
（実施例１）
本実施例に提供される「透明」なデータ交換方法は、データ伝送中に、Ｒ−ＨｕｂとＲＲＵ、Ｒ−Ｈｕｂ同士、ＢＢＵとＲ−Ｈｕｂ、及びＢＢＵとＲＲＵの間に用いるアドレス指定を別に追加する。そして、データが公衆網をすり抜ける状況下の安全性及び隔離性を確保するように、すり抜け中に、上り及び下りの原始データのカプセル化及びデカプセル化を行う。下り方向において、ＢＢＵ又はＲ−Ｈｕｂは、送信すべき下りの原始メッセージの外層に外層ＭＡＣヘッダを付け加えて下りの送信メッセージを得、得られた下りの送信メッセージを下のレベルのＲ−Ｈｕｂ又はＲＲＵに送信し、ここで、ＢＢＵ又はＲ−Ｈｕｂは電気インタフェースを介して、下のレベルのＲ−Ｈｕｂ又はＲＲＵに接続される。一方、上り方向において、Ｒ−Ｈｕｂ又はＲＲＵは、送信すべき上りの原始メッセージの外層に外層ＭＡＣヘッダを付け加えて上りの送信メッセージを得、得られた上りの送信メッセージを上のレベルのＲ−Ｈｕｂ又はＢＢＵに送信し、ここで、Ｒ−Ｈｕｂ又はＲＲＵは電気インタフェースを介して、上のレベルのＲ−Ｈｕｂ又はＢＢＵに接続される。本実施例において、付け加えられた外層ＭＡＣヘッダは、少なくとも宛先ＭＡＣアドレスと送信元ＭＡＣアドレスを含む。この外層ＭＡＣヘッダは基本フィールドと拡張フィールドを含むことができ、宛先ＭＡＣアドレスと送信元ＭＡＣアドレスが基本フィールドに設定され、そして、該基本フィールドはＭＡＣタイプをさらに含んでもよい。拡張フィールドは、実際のニーズに応じて設定されることができ、例えば、第３層に基づくトンネルネットワークを構築するためのＩＰヘッダとされることができる。
【００２１】
本実施例において、付け加えられたＭＡＣヘッダは、標準的なＩＥＥＥ８０２．３イーサネットフレームフォーマットを基準にして定義されることができ、設定した基本フィールドの長さが１２バイトである。拡張フィールドの長さはニーズに応じて定義される。
【００２２】
本実施例において、伝送するメッセージは、サービスを実現するためのサービスデータメッセージ及びＲ−ＨｕｂとＲＲＵの間のプライベートメッセージを含む。下り方向に伝送するサービスデータメッセージを下りのサービスデータメッセージと呼び、上り方向に伝送するサービスデータメッセージを上りのサービスデータメッセージと呼び、また、下り方向に伝送するプライベートメッセージを下りのプライベートメッセージと呼び、上り方向に伝送するプライベートメッセージを上りのプライベートメッセージと呼ぶ。これに応じて、本実施例における上りの原始メッセージは上りのサービスデータメッセージ及び／又は上りのプライベートメッセージを含み、下りの原始メッセージは下りのサービスデータメッセージ及び／又は下りのプライベートメッセージを含む。
【００２３】
本実施例におけるプライベートメッセージは、ＭＡＣアドレス自己学習メッセージ、遅延メッセージ、及びイーサネットＯＡＭメッセージ等を含んでもよく、異なるメッセージは、ＭＡＣ  ｔｙｐｅが異なる。
【００２４】
ＭＡＣアドレス自己学習メッセージは、ブロードキャストメッセージであり、Ｒ−ＨｕｂとＲＲＵはリンクを確立するときに、該メッセージをブロードキャストすることで、相手のＭＡＣアドレスを学習し取得する。
【００２５】
遅延メッセージは、ユニキャストメッセージであり、Ｒ−Ｈｕｂの転送を遅延させ、メッセージでＲＲＵに送信し、ＲＲＵがこれを用いて上り・下りリンク遅延を計算し、補償する。
【００２６】
イーサネットＯＡＭメッセージは、ユニキャストメッセージであり、Ｒ−ＨｕｂとＲＲＵは、リンクを確立した後、それぞれ定期的に、リンクのモニタリング及びメンテナンスのためのリンクキープアライブ及び状態メッセージをお互いに送信し合う。
【００２７】
本実施例において、Ｒ−Ｈｕｂにとって、送信元ＭＡＣアドレスはその電気インタフェースのＭＡＣアドレスであり、宛先ＭＡＣアドレスは、その電気インタフェースに接続されるＲ−Ｈｕｂ、ＢＢＵ又はＲＲＵの電気インタフェースのＭＡＣアドレスである。
【００２８】
ＲＲＵにとって、送信元ＭＡＣアドレスはその電気インタフェースのＭＡＣアドレスであり、宛先ＭＡＣアドレスは、その電気インタフェースに接続されるＲ−Ｈｕｂの電気インタフェースのＭＡＣアドレスである。
【００２９】
ＢＢＵにとって、送信元ＭＡＣアドレスはその電気インタフェースのＭＡＣアドレスであり、宛先ＭＡＣアドレスは、その電気インタフェースに接続されるＲ−Ｈｕｂ又はＲＲＵの電気インタフェースのＭＡＣアドレスである。
【００３０】
本実施例における送信元ＭＡＣアドレスは、リンク確立中に学習して得られる。
【００３１】
下り方向において、Ｒ−Ｈｕｂ又はＲＲＵは、下りの送信メッセージを受信した後、解析して下りの原始メッセージが得られ、解析時に、該メッセージの外層ＭＡＣヘッダに含まれるＭＡＣタイプによってメッセージのタイプを判断することができ、それから外層ＭＡＣヘッダを切り取り、メッセージのタイプに応じて後の処理を行う。Ｒ−Ｈｕｂ又はＲＲＵが下りの送信メッセージを受け取って、下りの原始メッセージを解析した後、下のレベルのＲ−Ｈｕｂ又はＲＲＵに送信する必要があり、且つ下のレベルのＲ−Ｈｕｂ又はＲＲＵとは電気インタフェースを介して接続する場合、得られた下りの原始メッセージの外層に新しい外層ＭＡＣヘッダを再び付け加えてから（新しく付け加えられたＭＡＣヘッダに新しい送信元ＭＡＣアドレスと宛先ＭＡＣアドレスが含まれる）、下のレベルのＲ−Ｈｕｂ又はＲＲＵに送信する。下のレベルのＲ−Ｈｕｂ又はＲＲＵが下りの送信メッセージを受け取って、下りの原始メッセージを解析した後、下のレベルのＲ−Ｈｕｂ又はＲＲＵに送信する必要があり、且つ下のレベルのＲ−Ｈｕｂ又はＲＲＵとは光インタフェースを介して接続する場合、下りの原始メッセージに対して新しい外層ＭＡＣヘッダを再び付け加える必要がなく、下りの原始メッセージをそのまま下のレベルのＲ−Ｈｕｂ又はＲＲＵに送信する。
【００３２】
上り方向において、Ｒ−Ｈｕｂは、交換用上りの送信メッセージを受信した後、解析して上りの原始メッセージが得られ、解析時に、具体的には、該メッセージの外層ＭＡＣヘッダに含まれるＭＡＣタイプによってメッセージのタイプを判断することができ、それから外層ＭＡＣヘッダを切り取り、メッセージのタイプに応じて後の処理を行う。Ｒ−Ｈｕｂが交換用上りの送信メッセージを受け取って、上りの原始メッセージを解析した後、上のレベルのＲ−Ｈｕｂ又はＢＢＵに送信する必要があり、且つ上のレベルのＲ−Ｈｕｂ又はＢＢＵとは電気インタフェースを介して接続する場合、得られた上りの原始メッセージの外層に新しい外層ＭＡＣヘッダを再び付け加えてから、上のレベルのＲ−Ｈｕｂ又はＢＢＵに送信する。上のレベルのＲ−Ｈｕｂは交換用上りの送信メッセージを受け取って、上りの原始メッセージを解析した後、上のレベルのＲ−Ｈｕｂ又はＢＢＵに送信する必要があり、且つ上のレベルのＲ−Ｈｕｂ又はＢＢＵとは光インタフェースを介して接続する場合、上りの原始メッセージをそのまま上のレベルのＲ−Ｈｕｂ又はＢＢＵに送信する。
【００３３】
本実施例に提供される上記データ交換ソリューションは、主として、電気インタフェースを介してネットワーキングするネットワーキングシステムのデータ伝送に用いられる。例えば、様々な形式のＢＢＵ＋Ｒ−Ｈｕｂ＋ＲＲＵネットワーキングに適用される。
【００３４】
（実施例２）
図３に示すように、本実施例に提供されるＢＢＵは、第１のインタフェースモジュールと、第１のインタフェース処理モジュールとを備える。第１のインタフェースモジュールは、Ｒ−Ｈｕｂ又はＲＲＵに電気インタフェースを介して接続されるように構成される。電気インタフェースを介して接続されるＢＢＵとＲ−Ｈｕｂ又はＢＢＵとは、公衆網をすり抜けることが必要とされる可能性がある。第１のインタフェース処理モジュールは、下り方向において、送信すべき下りの原始メッセージの外層に外層ＭＡＣヘッダを付け加えて下りの送信メッセージを得、得られた下りの送信メッセージをＲ−Ｈｕｂ又はＲＲＵに送信するように構成される。付け加えられた外層ＭＡＣヘッダは、少なくとも宛先ＭＡＣアドレスと送信元ＭＡＣアドレスを含む。ＢＢＵにとって、送信元ＭＡＣアドレスはその電気インタフェースのＭＡＣアドレスであり、宛先ＭＡＣアドレスは、その電気インタフェースに接続されるＲ−Ｈｕｂ又はＲＲＵの電気インタフェースのＭＡＣアドレスである。宛先ＭＡＣアドレスを、ＢＢＵがリンク確立中に学習して得ることができる。
【００３５】
図４に示すように、本実施例に提供されるＲ−Ｈｕｂは、第２のインタフェースモジュールと、第２のインタフェース処理モジュールとを備える。
【００３６】
第２のインタフェースモジュールは、下のレベルのＲ−Ｈｕｂ又はＲＲＵに電気インタフェースを介して接続され、そして、上のレベルのＲ−Ｈｕｂ又はＢＢＵに電気インタフェースを介して接続されるように構成される。第２のインタフェース処理モジュールは、下り方向において、送信すべき下りの原始メッセージの外層に外層ＭＡＣヘッダを付け加えて下りの送信メッセージを得、得られた下りの送信メッセージを下のレベルのＲ−Ｈｕｂ又はＲＲＵに送信し、そして、上り方向において、送信すべき上りの原始メッセージの外層に外層ＭＡＣヘッダを付け加えて上りの送信メッセージを得、得られた上りの送信メッセージを上のレベルのＲ−Ｈｕｂ又はＢＢＵに送信するように構成される。付け加えられた外層ＭＡＣヘッダも、少なくとも宛先ＭＡＣアドレスと送信元ＭＡＣアドレスを含む。Ｒ−Ｈｕｂにとって、送信元ＭＡＣアドレスはその電気インタフェースのＭＡＣアドレスであり、宛先ＭＡＣアドレスは、その電気インタフェースに接続されるＲ−Ｈｕｂ、ＢＢＵ又はＲＲＵの電気インタフェースのＭＡＣアドレスである。宛先ＭＡＣアドレスを、Ｒ−Ｈｕｂがリンク確立中に学習して得ることができる。
【００３７】
本実施例におけるＲ−Ｈｕｂは、下り方向において、上のレベルのＢＢＵ又はＲ−Ｈｕｂのデータを下のレベルのＲ−Ｈｕｂ又はＲＲＵにルーティングし、上り方向において、下のレベルのＲＲＵ又はＲ−Ｈｕｂからのデータを上のレベルのＢＢＵ又はＲ−Ｈｕｂにルーティングするように構成されるルーターモジュールをさらに備える。
【００３８】
図５に示すように、本実施例に提供されるＲＲＵは、第３のインタフェースモジュールと、第３のインタフェース処理モジュールとを備える。
【００３９】
第３のインタフェースモジュールは、上のレベルのＲ−Ｈｕｂ又はＢＢＵに電気インタフェースを介して接続されるように構成される。第３のインタフェース処理モジュールは、上り方向において、送信すべき上りの原始メッセージの外層に外層ＭＡＣヘッダを付け加えて上りの送信メッセージを得、得られた上りの送信メッセージを上のレベルのＲ−Ｈｕｂ又はＢＢＵに送信するように構成される。付け加えられた外層ＭＡＣヘッダも、少なくとも宛先ＭＡＣアドレスと送信元ＭＡＣアドレスを含む。ＲＲＵにとって、送信元ＭＡＣアドレスはその電気インタフェースのＭＡＣアドレスであり、宛先ＭＡＣアドレスは、その電気インタフェースに接続されるリレーユニットの電気インタフェースのＭＡＣアドレスである。宛先ＭＡＣアドレスを、ＲＲＵがリンク確立中に学習して得ることができる。
【００４０】
本実施例において、伝送するメッセージは、サービスを実現するためのサービスデータメッセージ及びＲ−ＨｕｂとＲＲＵの間のプライベートメッセージを含む。下り方向に伝送するサービスデータメッセージを下りのサービスデータメッセージと呼び、上り方向に伝送するサービスデータメッセージを上りのサービスデータメッセージと呼び、また、下り方向に伝送するプライベートメッセージを下りのプライベートメッセージと呼び、上り方向に伝送するプライベートメッセージを上りのプライベートメッセージと呼ぶ。これに応じて、本実施例における上りの原始メッセージは上りのサービスデータメッセージ及び／又は上りのプライベートメッセージを含み、下りの原始メッセージは下りのサービスデータメッセージ及び／又は下りのプライベートメッセージを含む。
【００４１】
本実施例におけるプライベートメッセージは、ＭＡＣアドレス自己学習メッセージ、遅延メッセージ、及びイーサネットＯＡＭメッセージ等を含んでもよく、異なるメッセージは、ＭＡＣ  ｔｙｐｅが異なる。
【００４２】
ＭＡＣアドレス自己学習メッセージは、ブロードキャストメッセージであり、Ｒ−ＨｕｂとＲＲＵはリンクを確立するときに、該メッセージをブロードキャストすることで、相手のＭＡＣアドレスを学習し取得する。
【００４３】
遅延メッセージは、ユニキャストメッセージであり、Ｒ−Ｈｕｂの転送を遅延させ、メッセージでＲＲＵに送信し、ＲＲＵがこれを用いて上り・下りリンク遅延を計算し、補償する。
【００４４】
イーサネットＯＡＭメッセージは、ユニキャストメッセージであり、Ｒ−ＨｕｂとＲＲＵはリンクを確立した後、それぞれ定期的に、リンクのモニタリング及びメンテナンスのためのリンクキープアライブ及び状態メッセージをお互いに送信し合う。
【００４５】
（実施例３）
本実施例にて、いくつかの具体的なネットワーキング方式を結合して本発明を例示的に説明する。しかし、本実施例は、以下のいくつかの代表的なネットワーキング方式のみに限定されないことは、理解すべきである。
【００４６】
図６を参照し、同図に示すネットワーキングは、ベースバンド処理ユニット（ＢＢＵ）、第１のリレーユニット（第１のＲ−Ｈｕｂ）、公衆網、第２のリレーユニット（第２のＲ−Ｈｕｂ）及び無線リモートユニット（ＲＲＵ）を備え、第１のＲ−Ｈｕｂが電気インタフェースを介して公衆網をすり抜けて第２のＲ−Ｈｕｂに接続され、第２のＲ−Ｈｕｂが電気インタフェースを介してＲＲＵに接続され、ＢＢＵが光インタフェースを介して第１のＲ−Ｈｕｂに接続される。
【００４７】
図６に示すネットワーキングにおいて、ＢＢＵが第１のＲ−Ｈｕｂに光インタフェースを介して接続されるため、ＢＢＵと第１のＲ−Ｈｕｂの間での上りデータ及び下りデータの交換は、外層ＭＡＣヘッダを別に付け加えることを必要としない。下り方向において、第１のＲ−ＨｕｂがＢＢＵから送信された下りの原始メッセージ（該メッセージが通常、サービスデータメッセージである）を受信した後、その光インタフェースのSerDesを経てフレーム解除されてから、シグナリング及びＩＱデータが分離されてくる。その後、第１のＲ−Ｈｕｂは、該メッセージを下のレベルの第２のＲ−Ｈｕｂに転送する必要があり、且つ第２のＲ−Ｈｕｂとは電気インタフェースを介して接続すると判断し、第１のＲ−Ｈｕｂは、ＢＢＵから送信された下りの原始メッセージの外層にＭＡＣヘッダを付け加えた後、公衆網をすり抜けて第２のＲ−Ｈｕｂに送信する。第２のＲ−Ｈｕｂは、第１のＲ−Ｈｕｂから送信された下りの送信メッセージを受信した後、そのＭＡＣタイプによって解析して下りの原始メッセージが得られる。それから、第２のＲ−Ｈｕｂは、該メッセージを下のレベルのＲＲＵに転送する必要があり、且つＲＲＵとは電気インタフェースを介して接続すると判断し、第２のＲ−Ｈｕｂは、解析した下りの原始メッセージの外層に新しい外層ＭＡＣヘッダを付け加えた後、ＲＲＵに送信し、新しく付け加えられたＭＡＣヘッダに新しい送信元ＭＡＣアドレスと宛先ＭＡＣアドレスが含まれる。上り方向において、ＲＲＵは、送信すべき上りの原始メッセージの外層に外層ＭＡＣヘッダを付け加えて上りの送信メッセージを得、そして、それを電気インタフェースを介して接続される第２のＲ−Ｈｕｂに送信する。第２のＲ−Ｈｕｂは、ＲＲＵから送信された上りの送信メッセージを受信した後、そのタイプによって解析して上りの原始メッセージが得られる。第２のＲ−Ｈｕｂは、該上りの原始メッセージを、電気インタフェースを介して接続される上のレベルの第１のＲ−Ｈｕｂに送信する必要があると判断し、該上りの原始メッセージの外層に外層ＭＡＣヘッダ（新しい送信元ＭＡＣアドレスと宛先ＭＡＣアドレスを含む）を再び付け加えた後、公衆網をすり抜けて第１のＲ−Ｈｕｂに送信する。第１のＲ−Ｈｕｂは、第２のＲ−Ｈｕｂから送信された上りの送信メッセージを受信した後、そのタイプによって解析して上りの原始メッセージが得られる。第１のＲ−Ｈｕｂは、該上りの原始メッセージを、光インタフェースを介して接続されるＢＢＵに送信する必要があると判断し、解析した上りの原始メッセージをフレーム化してから、光インタフェースのSerDesを経て直接ＢＢＵに送信する。このように、本実施例にて送信されるメッセージが公衆網をすり抜けるときに、別に付け加えられた外層ＭＡＣヘッダによって、その安全性及び隔離性を確保することができる。
【００４８】
なお、Ｒ−Ｈｕｂ同士及びＲ−ＨｕｂとＲＲＵの間でのプライベートメッセージの交換も、上記のように外層ＭＡＣヘッダを別に付加する構成によって、安全性及び隔離性を確保するが、ここではその説明を省略する。
【００４９】
図７に示すように、同図に示すネットワーキングは、ベースバンド処理ユニット（ＢＢＵ）、第１のリレーユニット（第１のＲ−Ｈｕｂ）、第１のＲ−Ｈｕｂにカスケードされる第２のリレーユニット（第２のＲ−Ｈｕｂ）、公衆網、第３のリレーユニット（第３のＲ−Ｈｕｂ）及びＲＲＵを備え、第１のＲ−Ｈｕｂが電気インタフェースを介して第２のＲ−Ｈｕｂに接続され、第２のＲ−Ｈｕｂが電気インタフェースを介して公衆網をすり抜けて第３のＲ−Ｈｕｂに接続され、第３のＲ−Ｈｕｂが電気インタフェースを介してＲＲＵに接続され、ＢＢＵが光インタフェースを介して第１のＲ−Ｈｕｂに接続される。
【００５０】
図７に示すネットワーキングにおいて、ＢＢＵが第１のＲ−Ｈｕｂに光インタフェースを介して接続されるため、ＢＢＵと第１のＲ−Ｈｕｂの間での上りデータ及び下りデータの交換も、外層ＭＡＣヘッダを別に付け加えることを必要としない。下り方向において、第１のＲ−ＨｕｂがＢＢＵから送信された下りの原始メッセージ（該メッセージが通常、サービスメッセージである）を受信した後、その光インタフェースのSerDesを経てフレーム解除されてから、シグナリング及びＩＱデータが分離されてくる。その後、第１のＲ−Ｈｕｂは、該メッセージを下のレベルの第２のＲ−Ｈｕｂに転送する必要があり、且つ第２のＲ−Ｈｕｂとは電気インタフェースを介して接続すると判断し、第１のＲ−Ｈｕｂは、ＢＢＵから送信された下りの原始メッセージの外層にＭＡＣヘッダを付け加えた後、第２のＲ−Ｈｕｂに送信する。第２のＲ−Ｈｕｂは、第１のＲ−Ｈｕｂから送信された下りの送信メッセージを受信した後、そのＭＡＣタイプによって解析して下りの原始メッセージが得られる。第２のＲ−Ｈｕｂは、受信した下りの送信メッセージを解析して下りの原始メッセージを得、該メッセージを下のレベルの第３のＲ−Ｈｕｂに転送する必要があり、且つ第３のＲ−Ｈｕｂとは電気インタフェースを介して接続すると判断し、第２のＲ−Ｈｕｂは、ＢＢＵから送信された下りの原始メッセージの外層にＭＡＣヘッダを付け加えた後、公衆網をすり抜けて第３のＲ−Ｈｕｂに送信する。それから、第３のＲ−Ｈｕｂは、該メッセージを下のレベルのＲＲＵに転送する必要があり、且つＲＲＵとは電気インタフェースを介して接続すると判断し、第３のＲ−Ｈｕｂは、解析した下りの原始メッセージの外層に新しい外層ＭＡＣヘッダを付け加えた後、ＲＲＵに送信し、新しく付け加えられたＭＡＣヘッダに新しい送信元ＭＡＣアドレスと宛先ＭＡＣアドレスが含まれる。上り方向において、ＲＲＵは、送信すべき上りの原始メッセージの外層に外層ＭＡＣヘッダを付け加えて上りの送信メッセージが得られ、公衆網をすり抜けて、電気インタフェースを介して接続される第３のＲ−Ｈｕｂに送信される。第３のＲ−Ｈｕｂは、ＲＲＵから送信された上りの送信メッセージを受信した後、そのタイプによって解析して上りの原始メッセージが得られる。第３のＲ−Ｈｕｂは、該上りの原始メッセージを、電気インタフェースを介して接続される上のレベルの第２のＲ−Ｈｕｂに送信する必要があると判断し、該上りの原始メッセージに外層ＭＡＣヘッダ（新しい送信元ＭＡＣアドレスと宛先ＭＡＣアドレスを含む）を再び付け加えた後、公衆網をすり抜けて第２のＲ−Ｈｕｂに送信する。第２のＲ−Ｈｕｂは、第３のＲ−Ｈｕｂから送信された上りの送信メッセージを受信した後、そのタイプによって解析して上りの原始メッセージが得られる。第２のＲ−Ｈｕｂは、該上りの原始メッセージを、電気インタフェースを介して接続される上のレベルの第１のＲ−Ｈｕｂに送信する必要があると判断し、該上りの原始メッセージに外層ＭＡＣヘッダ（新しい送信元ＭＡＣアドレスと宛先ＭＡＣアドレスを含む）を再び付け加えた後、第１のＲ−Ｈｕｂに送信する。第１のＲ−Ｈｕｂは、第２のＲ−Ｈｕｂから送信された上りの送信メッセージを受信した後、そのタイプによって解析して上りの原始メッセージが得られる。第１のＲ−Ｈｕｂは、該上りの原始メッセージを、光インタフェースを介して接続されるＢＢＵに送信する必要があると判断し、解析した上りの原始メッセージをフレーム化してから、光インタフェースのSerDesを経て直接ＢＢＵに送信する。このように、本実施例にて送信されるメッセージが公衆網をすり抜けるときにも、別に付け加えられた外層ＭＡＣヘッダによって、その安全性及び隔離性を確保することができる。
【００５１】
図８に示すように、同図に示すネットワーキングは、ベースバンド処理ユニット（ＢＢＵ）、第１のリレーユニット（第１のＲ−Ｈｕｂ）、公衆網、第２のリレーユニット（第２のＲ−Ｈｕｂ）及び無線リモートユニット（ＲＲＵ）を備え、第１のＲ−Ｈｕｂが電気インタフェースを介して公衆網をすり抜けて第２のＲ−Ｈｕｂに接続され、第２のＲ−Ｈｕｂが電気インタフェースを介してＲＲＵに接続され、ＢＢＵも電気インタフェースを介して第１のＲ−Ｈｕｂに接続される。
【００５２】
図８に示すネットワーキングにおいて、ＢＢＵが第１のＲ−Ｈｕｂに電気インタフェースを介して接続されるため、ＢＢＵと第１のＲ−Ｈｕｂの間での上りデータ及び下りデータの交換は、外層ＭＡＣヘッダを別に付け加えることが必要となる。下り方向において、ＢＢＵは、送信すべき下りの原始メッセージの外層に外層ＭＡＣヘッダをカプセル化して下りの送信メッセージを得た後、第１のＲ−Ｈｕｂに送信する。第１のＲ−Ｈｕｂは、ＢＢＵから送信された下りの送信メッセージを受信した後、そのタイプによって解析して、シグナリング及びＩＱデータが分離されてくる。その後、第１のＲ−Ｈｕｂは、該メッセージを下のレベルの第２のＲ−Ｈｕｂに転送する必要があり、且つ第２のＲ−Ｈｕｂとは電気インタフェースを介して接続すると判断し、第１のＲ−Ｈｕｂは、ＢＢＵから送信された下りの原始メッセージの外層にＭＡＣヘッダを付け加えた後、公衆網をすり抜けて第２のＲ−Ｈｕｂに送信する。第２のＲ−Ｈｕｂは、第１のＲ−Ｈｕｂから送信された下りの送信メッセージを受信した後、そのＭＡＣタイプによって解析して下りの原始メッセージが得られる。それから、第２のＲ−Ｈｕｂは、該メッセージを下のレベルのＲＲＵに転送する必要があり、且つＲＲＵとは電気インタフェースを介して接続すると判断し、第２のＲ−Ｈｕｂは、解析した下りの原始メッセージの外層に新しい外層ＭＡＣヘッダを付け加えた後、ＲＲＵに送信し、新しく付け加えられたＭＡＣヘッダに新しい送信元ＭＡＣアドレスと宛先ＭＡＣアドレスが含まれる。上り方向において、ＲＲＵは、送信すべき上りの原始メッセージの外層に外層ＭＡＣヘッダを付け加えて上りの送信メッセージを得、そして、それを電気インタフェースを介して接続される第２のＲ−Ｈｕｂに送信する。第２のＲ−Ｈｕｂは、ＲＲＵから送信された上りの送信メッセージを受信した後、そのタイプによって解析して上りの原始メッセージが得られる。第２のＲ−Ｈｕｂは、該上りの原始メッセージを、電気インタフェースを介して接続される上のレベルの第１のＲ−Ｈｕｂに送信する必要があると判断し、該上りの原始メッセージに外層ＭＡＣヘッダ（新しい送信元ＭＡＣアドレスと宛先ＭＡＣアドレスを含む）を再び付け加えた後、公衆網をすり抜けて第１のＲ−Ｈｕｂに送信する。第１のＲ−Ｈｕｂは、第２のＲ−Ｈｕｂから送信された上りの送信メッセージを受信した後、そのタイプによって解析して上りの原始メッセージが得られる。第１のＲ−Ｈｕｂは、該上りの原始メッセージを、電気インタフェースを介して接続されるＢＢＵに送信する必要があると判断し、解析した上りの原始メッセージに外層ＭＡＣヘッダを付け加えてＢＢＵに送信する。このように、本実施例にて送信されるメッセージが公衆網をすり抜けるときに、別に付加された外層ＭＡＣヘッダによって、その安全性及び隔離性を保証することができる。
【００５３】
図９に示すように、同図に示すネットワーキングは、ベースバンド処理ユニット（ＢＢＵ）、公衆網、第１のリレーユニット（第１のＲ−Ｈｕｂ）及び無線リモートユニット（ＲＲＵ）を備え、第１のＲ−Ｈｕｂが電気インタフェースを介してＲＲＵに接続され、ＢＢＵが電気インタフェースを介して公衆網をすり抜けて第１のＲ−Ｈｕｂに接続される。
【００５４】
図９に示すネットワーキングにおいて、ＢＢＵが公衆網をすり抜けて第１のＲ−Ｈｕｂに電気インタフェースを介して接続されるため、ＢＢＵと第１のＲ−Ｈｕｂの間での上りデータ及び下りデータの交換も、外層ＭＡＣヘッダを別に付け加えることが必要となる。下り方向において、ＢＢＵは、送信すべき下りの原始メッセージの外層に外層ＭＡＣヘッダをカプセル化して下りの送信メッセージを得た後、公衆網をすり抜けて第１のＲ−Ｈｕｂに送信する。第１のＲ−ＨｕｂがＢＢＵから送信された下りの送信メッセージを受信した後、そのタイプによって解析して、シグナリング及びＩＱデータが分離されてくる。その後、第１のＲ−Ｈｕｂは、該メッセージを下のレベルのＲＲＵに転送する必要があり、且つＲＲＵとは電気インタフェースを介して接続すると判断し、第１のＲ−Ｈｕｂは、解析した下りの原始メッセージの外層に新しい外層ＭＡＣヘッダを付け加えた後、ＲＲＵに送信し、新しく付け加えられたＭＡＣヘッダに新しい送信元ＭＡＣアドレスと宛先ＭＡＣアドレスが含まれる。上り方向において、ＲＲＵは、送信すべき上りの原始メッセージの外層に外層ＭＡＣヘッダを付け加えて上りの送信メッセージを得、そしてそれを電気インタフェースを介して接続される第１のＲ−Ｈｕｂに送信する。第１のＲ−Ｈｕｂは、ＲＲＵから送信された上りの送信メッセージを受信した後、そのタイプによって解析して上りの原始メッセージが得られる。第１のＲ−Ｈｕｂは、該上りの原始メッセージを、電気インタフェースを介して接続されるＢＢＵに送信する必要があると判断し、解析した上りの原始メッセージに外層ＭＡＣヘッダを付け加えてＢＢＵに送信する。このように、本実施例にて送信されるメッセージが公衆網をすり抜けるときにも、別に付加された外層ＭＡＣヘッダによって、その安全性及び隔離性を保証することができる。
【００５５】
図１０に示すように、同図に示すネットワーキングは、ベースバンド処理ユニット（ＢＢＵ）、第１のリレーユニット（第１のＲ−Ｈｕｂ）、公衆網及び無線リモートユニット（ＲＲＵ）を備え、第１のＲ−Ｈｕｂが電気インタフェースを介して公衆網をすり抜けてＲＲＵに接続され、ＢＢＵが光インタフェースを介して第１のＲ−Ｈｕｂに接続される。
【００５６】
図１０に示すネットワーキングにおいて、ＢＢＵが公衆網をすり抜けて第１のＲ−Ｈｕｂに光インタフェースを介して接続されるため、ＢＢＵと第１のＲ−Ｈｕｂの間での上りデータ及び下りデータの交換は、外層ＭＡＣヘッダを別に付け加えることを必要としない。下り方向において、ＢＢＵは、送信すべき下りの原始メッセージをそのまま第１のＲ−Ｈｕｂに送信する。第１のＲ−ＨｕｂがＢＢＵから送信された下りの送信メッセージを受信した後、その光インタフェースのSerDesを経てフレーム解除されてから、シグナリング及びＩＱデータが分離されてくる。その後、第１のＲ−Ｈｕｂは、該メッセージを下のレベルのＲＲＵに転送する必要があり、且つＲＲＵとは電気インタフェースを介して接続すると判断し、第１のＲ−Ｈｕｂは、解析した下りの原始メッセージの外層に新しい外層ＭＡＣヘッダを付け加えた後、公衆網をすり抜けてＲＲＵに送信し、新しく付け加えられたＭＡＣヘッダに新しい送信元ＭＡＣアドレスと宛先ＭＡＣアドレスが含まれる。上り方向において、ＲＲＵは、送信すべき上りの原始メッセージの外層に外層ＭＡＣヘッダを付け加えて上りの送信メッセージを得、そして公衆網をすり抜けてそれを電気インタフェースを介して接続される第１のＲ−Ｈｕｂに送信する。第１のＲ−Ｈｕｂは、ＲＲＵから送信された上りの送信メッセージを受信した後、そのタイプによって解析して上りの原始メッセージが得られる。第１のＲ−Ｈｕｂは、該上りの原始メッセージを、光インタフェースを介して接続されるＢＢＵに送信する必要があると判断し、解析した上りの原始メッセージをフレーム化してから、光インタフェースのSerDesを経て直接ＢＢＵに送信する。このように、本実施例にて送信されるメッセージが公衆網をすり抜けるときにも、別に付加された外層ＭＡＣヘッダによって、その安全性及び隔離性を保証することができる。
【００５７】
図１１に示すように、同図に示すネットワーキングは、ベースバンド処理ユニット（ＢＢＵ）、第１のリレーユニット（第１のＲ−Ｈｕｂ）、第１のＲ−Ｈｕｂにカスケードされる第２のリレーユニット（第２のＲ−Ｈｕｂ）、公衆網及び無線リモートユニット（ＲＲＵ）を備え、第１のＲ−Ｈｕｂが電気インタフェースを介して第２のＲ−Ｈｕｂに接続され、第２のＲ−Ｈｕｂが電気インタフェースを介して公衆網をすり抜けてＲＲＵに接続され、ＢＢＵが電気インタフェースを介して第１のＲ−Ｈｕｂに接続される。
【００５８】
図１１に示すネットワーキングにおいて、ＢＢＵが第１のＲ−Ｈｕｂに電気インタフェースを介して接続されるため、ＢＢＵと第１のＲ−Ｈｕｂの間での上りデータ及び下りデータの交換も、外層ＭＡＣヘッダを別に付け加えることが必要となる。下り方向において、ＢＢＵは、送信すべき下りの原始メッセージの外層に外層ＭＡＣヘッダをカプセル化して下りの送信メッセージを得た後、第１のＲ−Ｈｕｂに送信する。第１のＲ−Ｈｕｂは、ＢＢＵから送信された下りの送信メッセージを受信した後、そのタイプによって解析して、シグナリング及びＩＱデータが分離されてくる。その後、第１のＲ−Ｈｕｂは、該メッセージを下のレベルの第２のＲ−Ｈｕｂに転送する必要があり、且つ第２のＲ−Ｈｕｂとは電気インタフェースを介して接続すると判断し、第１のＲ−Ｈｕｂは、ＢＢＵから送信された下りの原始メッセージの外層にＭＡＣヘッダを付け加えた後、第２のＲ−Ｈｕｂに送信する。第２のＲ−Ｈｕｂは、第１のＲ−Ｈｕｂから送信された下りの送信メッセージを受信した後、そのＭＡＣタイプによって解析して下りの原始メッセージが得られる。それから、第２のＲ−Ｈｕｂは、該メッセージを下のレベルのＲＲＵに転送する必要があり、且つＲＲＵとは電気インタフェースを介して接続すると判断し、第２のＲ−Ｈｕｂは、解析した下りの原始メッセージの外層に新しい外層ＭＡＣヘッダを付け加えた後、公衆網をすり抜けてＲＲＵに送信し、新しく付け加えられたＭＡＣヘッダに新しい送信元ＭＡＣアドレスと宛先ＭＡＣアドレスが含まれる。上り方向において、ＲＲＵは、送信すべき上りの原始メッセージの外層に外層ＭＡＣヘッダを付け加えて上りの送信メッセージを得、そして公衆網をすり抜けてそれを電気インタフェースを介して接続される上のレベルの第２のＲ−Ｈｕｂに送信する。第２のＲ−Ｈｕｂは、ＲＲＵから送信された上りの送信メッセージを受信した後、そのタイプによって解析して上りの原始メッセージが得られる。第２のＲ−Ｈｕｂは、該上りの原始メッセージを、電気インタフェースを介して接続される上のレベルの第１のＲ−Ｈｕｂに送信する必要があると判断し、該上りの原始メッセージに外層ＭＡＣヘッダ（新しい送信元ＭＡＣアドレスと宛先ＭＡＣアドレスを含む）を再び付け加えた後、第１のＲ−Ｈｕｂに送信する。第１のＲ−Ｈｕｂは、第２のＲ−Ｈｕｂから送信された上りの送信メッセージを受信した後、そのタイプによって解析して上りの原始メッセージが得られる。第１のＲ−Ｈｕｂは、該上りの原始メッセージを、電気インタフェースを介して接続されるＢＢＵに送信する必要があると判断し、解析した上りの原始メッセージに外層ＭＡＣヘッダを付け加えてＢＢＵに送信する。このように、本実施例にて送信されるメッセージが公衆網をすり抜けるときに、別に付加された外層ＭＡＣヘッダによって、その安全性及び隔離性を保証することができる。
【００５９】
本実施例において、付け加えられたＭＡＣヘッダの具体的なフォーマットについて図１２を参照し、外層ＭＡＣヘッダは、基本フィールドと拡張フィールドに分割され、基本フィールドは宛先ＭＡＣ、送信元ＭＡＣ及びＭＡＣ  ｔｙｐｅを含み、そして、ＢＢＵ、ＲＲＵ及びＲ−Ｈｕｂのそれぞれの電気インタフェースにとって、そのＭＡＣアドレスは物理ネットワークカードに基づいて、何れも世界で唯一のものであるので、公衆網に接続されることができる。電気インタフェースの反対側の宛先ＭＡＣは、ブロードキャストしたＭＡＣアドレス自己学習メッセージから学習したものである。ＭＡＣ  ｔｙｐｅは、異なるメッセージのタイプを区別するためのものであり、ＢＢＵ、Ｒ−Ｈｕｂ及びＲＲＵのインタフェース処理モジュールにおいて、処理しやすいために、異なるタイプのメッセージにそれぞれ異なるＭＡＣ  ｔｙｐｅをカプセル化し、例えば、シグナリングとＩＱデータをＩＰプロトコルによってカプセル化するようにするが、しかし、既存プロトコルのＭＡＣ  ｔｙｐｅと異ならせることに注意する必要がある。拡張フィールド及びフィールドの長さはニーズに応じて定義されることができ、例えば、第３層に基づくトンネルネットワークを構築するためのＩＰヘッダとして定義されることができる。
【００６０】
以上、具体的な実施形態を結合して本発明をさらに詳しく説明したが、本発明の具体的な実施はこれらの説明のみに制限されると認定してはいけない。
【００６１】
上記実施例のステップの全部又は一部は、コンピュータプログラムのプロセスによって実現することができ、前記コンピュータプログラムはコンピュータ読取り可能な記憶媒体に記憶されてもよく、前記コンピュータプログラムは対応するハードウェアプラットフォーム（例えば、システム、機器、装置、デバイス等）で実行され、実行される場合、方法実施例のステップの１つ又はその組み合わせを含むことは、当業者が理解できるものである。
【００６２】
上記実施例のステップの全部又は一部は、集成回路によって実現することができ、これらのステップをそれぞれ個々の集成回路モジュールに製作したり、それらのうちの複数のモジュール又はステップを単独の集成回路モジュールに製作して実現してもよい。このように、本発明は、如何なる特定のハードウェアとソフトウェアの結合に限定されない。
【００６３】
上記実施例における各装置／機能ミュール／機能ユニットは汎用の計算装置によって実現することができ、単独の計算装置に集成させることができれば、複数の計算装置から構成されるネットワークに分布させることもできる。
【００６４】
上記実施例における各装置／機能ミュール／機能ユニットはソフトウェア機能モジュールの形で実現し、独立した製品として販売又は使用する場合、コンピュータ読取り可能な記憶媒体に記憶されることができる。上述したコンピュータ読取り可能な記憶媒体は、リードオンリーメモリ、磁気ディスク又は光ディスク等であってもよい。
【産業上の利用可能性】
【００６５】
本発明の実施例に提供されるソリューションは、公衆網をすり抜けるようにネットワーキングする場合、関連データメッセージの伝送は、外層ＭＡＣヘッダを別に付け加えることで透明な伝送を実現することができ、これにより、データが公衆網をすり抜けるときの安全性及び隔離性を確保し、即ち、公衆網はデータ伝送中に、ただデータの伝送トンネルとして機能しさえすればよい。
【図１】
2017532875.tif 000003
【図２】
2017532875.tif 000004
【図３】
2017532875.tif 000005
【図４】
2017532875.tif 000006
【図５】
2017532875.tif 000007
【図６】
2017532875.tif 000008
【図７】
2017532875.tif 000009
【図８】
2017532875.tif 000010
【図９】
2017532875.tif 000011
【図１０】
2017532875.tif 000012
【図１１】
2017532875.tif 000013
【図１２】
2017532875.tif 000014
【国際調査報告】
2017532875.tif 000015
2017532875.tif 000016
2017532875.tif 000017
2017532875.tif 000018